(57)【要約】【課題】  荷重に対する剛性が非常に高い強化された固定部を備え、ワイヤーハーネスの電線群を安定して固定することができるプロテクタを提供すること。【解決手段】  プロテクタ１は、ワイヤーハーネス２５の電線群２６を収容するための収容溝５を形成する底壁３および側壁４，４を有するプロテクタ本体２と、当該プロテクタ本体２に装着される蓋１９と、を備える。底壁３は、その長手方向に並設される第１底壁部３ａおよび第２底壁部３ｂを含む。第２底壁部３ｂは、第１部分５ａの深さよりも第２部分５ｂの深さが浅くなるように形成される。側壁４，４は、第１側壁部４ａ，４ａおよび第２側壁部４ｂ，４ｂを含む。第１側壁部４ａ，４ａの上端面４ｃ，４ｃと第２側壁部４ｂ，４ｂの上端面４ｄ，４ｄとは面一となるように形成されている。第２底壁部３ｂおよび第２側壁部４ｂ，４ｂは固定部１０として働く。【選択図】      図１
2005137154.tif 000002
【特許請求の範囲】
【請求項１】
底壁および当該底壁から上方に互いに対向しながら延長する一対の側壁を有し、前記底壁の内面および前記側壁の内面がワイヤーハーネスの電線群を収容するための収容溝を形成するプロテクタ本体と、
前記プロテクタ本体に係合可能な蓋と、
を備えたプロテクタであって、
前記底壁が、その長手方向に並設される第１底壁部および第２底壁部を含み、
前記第２底壁部が、前記第１底壁部上に形成される前記収容溝の第１部分の深さよりも前記第２底壁部上に形成される前記収容溝の第２部分の深さが浅くなるように形成され、
前記側壁が、前記第１底壁部から上方に互いに対向しながら延長する第１側壁部、および前記第２底壁部から上方に互いに対向しながら延長する第２側壁部を含み、
前記第１側壁部の上端面と前記第２側壁部の上端面とが面一となるように形成され、そして、
前記第２底壁部および前記第２側壁部が、前記収容溝の第２部分に収容された前記ワイヤーハーネスの電線群の部分を固定手段と協働して固定するための固定部として構成されていることを特徴とするプロテクタ。
【請求項２】
前記第２底壁部が、前記第１底壁部との境界部分に前記第１底壁部から前記第２底壁部にかけて上り勾配を有する傾斜面を含むことを特徴とする請求項１に記載したプロテクタ。
【請求項３】
前記蓋が前記側壁の上端部に装着されて前記側壁間の収容溝の少なくとも一部を閉塞し、そして前記蓋が、前記第２底壁部の傾斜面に対向しながら当該傾斜面から離れる方向に延びる傾斜面を含む逃げ部を有することを特徴とする請求項２に記載したプロテクタ。
【発明の詳細な説明】
【技術分野】
【０００１】
本発明は、電線の保護に主に使用されるプロテクタに関し、例えば自動車等の車両の電装系の配線等に使用されるワイヤーハーネスの電線群の保護に有効なプロテクタに関する。
【背景技術】
【０００２】
例えば、自動車等の車両の電装系の配線等に使用されるワイヤーハーネスは、その電線群が外力等によって損傷するのを防止するため、各種の合成樹脂製のプロテクタにより保護されるのが一般的である。
【０００３】
この種のプロテクタの一例として、図４および図５に示すように、ワイヤーハーネス２５の電線群２６を収容するための収容溝３３を有するプロテクタ本体３２と、プロテクタ本体３２の収容溝３３から引き出された電線群２６を粘着テープ３０と協働して固定するためにプロテクタ本体３２の長手方向の一端部に一体に設けられた固定部３５と、プロテクタ本体３２に装着されて収容溝３３を閉塞する蓋（不図示）と、を備えたプロテクタ３１が知られている（例えば、特許文献１参照）。
【０００４】
このプロテクタ３１の場合、固定部３５は、プロテクタ本体３２の底壁を長手方向に延出するように形成したものであって、プロテクタ本体３２の底壁の幅よりも幅狭の矩形板状に形成されている。この固定部３５にワイヤーハーネス２５の電線群２６が粘着テープ３０により固定される。
【０００５】
プロテクタ３１の固定部３５は、プロテクタ本体３２の底壁を単に延出した構造であるため、固定するワイヤーハーネス２５に掛けられる荷重を支持するための剛性が比較的低い。そこで、固定部３５の根元部分での折れ曲がり、破損、等を避けるためにも、ワイヤーハーネス２５により固定部３５に掛けられる荷重を固定部３５の剛性の範囲内にする配慮が必要である。
【０００６】
また、プロテクタの他の一例として、図６に示すように、ワイヤーハーネス２５の電線群２６を収容するための収容溝３８を有するプロテクタ本体３７と、プロテクタ本体３７の収容溝３８から引き出された電線群２６を粘着テープ３０と協働して固定するためにプロテクタ本体３７の長手方向の一端部に一体に設けられた断面Ｌ形状の固定部３９と、プロテクタ本体３７に一体に設けられた、収容溝３８を閉塞するための、蓋４０と、を備えたプロテクタ３６が知られている（例えば、特許文献２参照）。
【０００７】
このプロテクタ３６の場合、固定部３９は、プロテクタ本体３７の底壁と一側壁とを延出させることにより構成されたものであって、固定部３９の底壁の幅はプロテクタ本体３７の底壁の幅よりも狭く、その一側壁の高さはプロテクタ本体３７の側壁の高さよりも低く形成されている。
【０００８】
このように固定部３９は、底壁と一側壁とにより形成されているため、前述したプロテクタ３１の固定部３５に比べて荷重に対する剛性は高い。
【特許文献１】実開平５−３４３７８号公報
【特許文献２】特開平８−３０８０６３号公報
【発明の開示】
【発明が解決しようとする課題】
【０００９】
しかしながら、このような構成の固定部３９にあっても、用途によっては十分に満足できる剛性を備えたものとは言えないため、一側壁の根元部分での割れ、底壁の根元部分での折れ曲がり、破損、等を避けるためにも、更に剛性を高めた固定部を備えたプロテクタを提供する必要がある。
【００１０】
本発明は、前述した事情に鑑みてなされたものであり、その目的は、荷重に対する剛性が非常に高い固定部を備え、ワイヤーハーネスの電線群を安定して固定することができるプロテクタを提供することにある。
【課題を解決するための手段】
【００１１】
前述した目的を達成するため、本発明に係るプロテクタは、請求項１に記載したように、
底壁および当該底壁から上方に互いに対向しながら延長する一対の側壁を有し、前記底壁の内面および前記側壁の内面がワイヤーハーネスの電線群を収容するための収容溝を形成するプロテクタ本体と、
前記プロテクタ本体に係合可能な蓋と、
を備えたプロテクタであって、
前記底壁が、その長手方向に並設される第１底壁部および第２底壁部を含み、
前記第２底壁部が、前記第１底壁部上に形成される前記収容溝の第１部分の深さよりも前記第２底壁部上に形成される前記収容溝の第２部分の深さが浅くなるように形成され、
前記側壁が、前記第１底壁部から上方に互いに対向しながら延長する第１側壁部、および前記第２底壁部から上方に互いに対向しながら延長する第２側壁部を含み、
前記第１側壁部の上端面と前記第２側壁部の上端面とが面一となるように形成され、そして、
前記第２底壁部および前記第２側壁部が、前記収容溝の第２部分に収容された前記ワイヤーハーネスの電線群の部分を固定手段と協働して固定するための固定部として構成されていることを特徴としている。
【００１２】
請求項１に記載の発明によれば、固定部が、プロテクタ本体の底壁および当該底壁から延長する一対の側壁により形成され、具体的に、固定部が、少なくとも、底壁の第１底壁部に並設された当該第１底壁部よりも浅底の第２底壁部と、当該第２底壁部から延長する側壁の第２側壁部と、により形成されており、第１底壁部から延長する側壁の第１側壁部の上端面と固定部の第２側壁部の上端面とが面一となるように形成されているので、固定部の荷重に対する剛性を高めることができる。従って、固定部が、ワイヤーハーネスに掛けられる荷重により生じる応力によって、第１底壁部および第１側壁部との境界部分で折れ曲がったり、破損したりするようなことはなく、よってワイヤーハーネスの電線群を安定して固定することができる。
【００１３】
また、本発明に係るプロテクタは、請求項２に記載したように、請求項１に記載のプロテクタにおいて、前記第２底壁部が、前記第１底壁部との境界部分に前記第１底壁部から前記第２底壁部にかけて上り勾配を有する傾斜面を含むことを特徴としている。
【００１４】
請求項２に記載の発明によれば、第１底壁部から第２底壁部にかけて上り勾配を有する傾斜面が固定部に形成されているので、深さに差がある収容溝の第１部分と第２部分とに収容されたワイヤーハーネスの電線群を傾斜面に沿って配置することができるとともに、第１底壁部と第２底壁部との境界部分の剛性の向上を図ることができる。
【００１５】
また、本発明に係るプロテクタは、請求項３に記載したように、請求項２に記載のプロテクタにおいて、前記蓋が前記側壁の上端部に装着されて前記側壁間の収容溝の少なくとも一部を閉塞し、そして前記蓋が、前記第２底壁部の傾斜面に対向しながら当該傾斜面から離れる方向に延びる傾斜面を含む逃げ部を有することを特徴としている。
【００１６】
請求項３に記載の発明によれば、第２底壁部の傾斜面に対向しながら当該傾斜面から離れる方向に延びる傾斜面を含む逃げ部を蓋が有するので、プロテクタ本体の境界部分の傾斜面に沿わせて配置したワイヤーハーネスの電線群がその部分で盛り上がった場合でも、その盛り上がった部分を蓋の逃げ部によって逃がすことができる。
【発明の効果】
【００１７】
本発明によれば、荷重に対する剛性が非常に高い強化された固定部を備え、ワイヤーハーネスの電線群を安定して固定することができるプロテクタを提供することができる。
【００１８】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１９】
以下、本発明に係る好適な実施形態を図面に基づいて詳細に説明する。
【００２０】
図１は本発明に係るプロテクタの一実施形態の要部を示す外観斜視図、図２は図１に示すプロテクタ本体の上面図、そして図３は図１のプロテクタ本体の側面図である。
【００２１】
図１〜図３に示すように、本発明の一実施形態であるプロテクタ１は、自動車等といった車両の電装系の配線等に使用されるワイヤーハーネス２５の保護に適用したものであって、長方形板状の底壁３および当該底壁３の幅方向の両端部に一体に立設される（換言すれば、底壁３の両端部から上方に互いに対向しながら延長する）一対の長方形板状の側壁４，４を有し、底壁３の内面および側壁４，４の内面がワイヤーハーネス２５の電線群２６を収容するための収容溝５を形成する合成樹脂製のプロテクタ本体２と、当該プロテクタ本体２に着脱自在に装着される合成樹脂製の蓋１９と、を備えている。
【００２２】
つまり、このプロテクタ１においては、底壁３と両側壁部４，４とによって上部が開口するＵ形状の収容溝５がプロテクタ本体２に設けられ、この収容溝５内にワイヤーハーネス２５の電線群２６が収容され、そして両側壁部４，４間の開口を部分的に閉塞するように（より詳細には、固定部１０（後述）における両側壁部４，４間の開口を少なくとも除いて閉塞するように）蓋１９がプロテクタ本体２に沿って側壁４，４の上端部に装着される。尚、プロテクタ本体２の底壁３と両側壁４，４とは一体成形されている。
【００２３】
底壁３は、その長手方向に並設される第１底壁部３ａおよび第２底壁部３ｂを含む。第２底壁部３ｂは、第１底壁部３ａ上に形成される収容溝５の第１部分５ａの深さよりも第２底壁部３ｂ上に形成される収容溝５の第２部分５ｂの深さが浅くなるように形成される。尚、特に図３から判るように、第１底壁部３ａは、その長手方向に向かうにつれて僅かに角度を持った頂部を有している。
【００２４】
側壁４，４は、第１底壁部３ａから上方に互いに対向しながら延長する第１側壁部４ａ，４ａ、および第２底壁部３ｂから上方に互いに対向しながら延長する第２側壁部４ｂ，４ｂを含む。尚、第１側壁部４ａ，４ａの上端面４ｃ，４ｃと第２側壁部４ｂ，４ｂの上端面４ｄ，４ｄとは、面一となるように形成されている。
【００２５】
第２底壁部３ｂおよび第２側壁部４ｂ，４ｂは、収容溝５の第２部分５ｂに収容されたワイヤーハーネス２５の電線群２６の部分をビニルテープ等の粘着テープ３０（固定手段）と協働して固定するための固定部１０として構成されている。
【００２６】
第２底壁部３ｂは、第１底壁部３ａとの境界部分１４に第１底壁部３ａから第２底壁部３ｂにかけて上り勾配を有する傾斜面１６を含む。
【００２７】
蓋１９は、第２底壁部３ｂの傾斜面１６に対向しながら当該傾斜面１６から離れる方向に延びる傾斜面２４を含む逃げ部２３を有する。
【００２８】
このように構成されたプロテクタ１の詳細について以下に説明する。
【００２９】
プロテクタ本体２の各側壁４（より詳細には、各第１側壁部４ａ）の上端部外側面上には、複数箇所に被係合部６が形成されている。各被係合部６は、プロテクタ本体２の各側壁４（より詳細には、各第１側壁部４ａ）の外側面に一体に立設される一対の台形板状の支持脚７，７と、両支持脚７，７の上端間に架設される長方形板状の係止板８とからなる門型状をなすものであって、両支持脚７，７と係止板８と側壁４（より詳細には、各第１側壁部４ａ）とによって囲まれる部分に上下が開口する長方形状の係合孔９が設けられ、この係合孔９内に蓋１９の係合部２０（後述）が係合されるように構成されている。
【００３０】
固定部１０は、プロテクタ本体２の側壁４，４および底壁３を長手方向に延出させて形成されたものであるが、第２側壁部４ｂ，４ｂの上端面４ｄ，４ｄが第１側壁部４ａ，４ａの上端面４ｃ，４ｃと面一となるように、第２側壁部４ｂ，４ｂの下端が第１側壁部４ａ，４ａの下端よりも上方に位置するように、且つ第２底壁部３ｂが第１底壁部３ａよりも上方に位置するように構成したものである。
【００３１】
尚、固定部１０において第２底壁部３ｂ上に形成される収容溝５の第２部分５ｂの幅は、第１底壁部３ａ上に形成される収容溝５の第１部分５ａの幅と同一である。
【００３２】
固定部１０の第１底壁部３ａおよび第１側壁部４ａ，４ａとの境界部分１４には、上述したように、第２底壁部３ｂ上に第１底壁部３ａから第２底壁部３ｂにかけて上り勾配を有する傾斜面１６が形成され（より詳細には、その傾斜面１６が形成された第２底壁部３ｂの部分が傾斜しており）、よって第２側壁部４ｂ，４ｂの傾斜面１６から上方に延長する部分の高さは第１側壁部４ａ，４ａ側から徐々に減少する。このように境界部分１４には底壁部が所定の角度で傾斜する収容溝が形成されるが、その傾斜角度は、保護するワイヤーハーネスの種類、太さ、等に応じて適宜の値に設定される。
【００３３】
蓋１９は、プロテクタ本体２の収容溝５の開口に合致する長方形板状に形成されるものであって、その幅方向両端部上のプロテクタ本体２の被係合部６に対応する部分にはそれぞれ係合部２０が形成されている。
【００３４】
各係合部２０は、蓋１９の幅方向両端部から下方に突出する舌板状の本体部２１と、本体部２１の外面上に一体に設けられる楔状の係合爪２２とから構成される。これら本体部２１を前述した被係合部６の係合孔９内にそれぞれ係合させて、係合爪２２を被係合部６の係止板８とそれぞれ係止させることにより、蓋１９がプロテクタ本体２に固定される。尚、蓋１９がプロテクタ本体２の第１側壁部４ａ，４ａの上端部に装着された際、固定部１０の上方は開放される。
【００３５】
蓋１９の長手方向の一端部、即ち、境界部分１４に対向する部分には、内外面に傾斜面２４を有し且つ当該傾斜面２４が先端に行くに従って第２底壁部３ｂの傾斜面１６から離れる方向に延びる逃げ部２３が形成されるが、この逃げ部２３は、その内面と外面の両方を傾斜面２４としてもよいし、または内面のみを傾斜面２４としてもよい。
【００３６】
ワイヤーハーネス２５の電線群２６は、図１に示されるように、プロテクタ１のプロテクタ本体２の収容溝５内に収容され、この際、境界部分１４を通って固定部１０の第２底壁部３ｂに乗り上げ、プロテクタ本体２から引き出される。そして、この状態で固定部１０ならびに固定部１０上に配置された電線群２６の周囲に粘着テープ３０（固定手段）が巻き付けられ、電線群２６が固定部１０に固定される。そして、プロテクタ本体２の収容溝５の開口部の上に蓋１９を配置し、そして蓋１９の各係合部２０をプロテクタ本体２の各被係合部６に係合させ、蓋１９をプロテクタ本体２に固定する。このように、プロテクタ１にワイヤーハーネス２５が保持される。
【００３７】
上記のように構成されたプロテクタ１によれば、固定部１０が、プロテクタ本体２の底壁３および当該底壁３から延長する一対の側壁４，４により形成され、具体的に、固定部１０が、少なくとも、底壁３の第１底壁部３ａに並設された当該第１底壁部３ａよりも浅底の第２底壁部３ｂと、当該第２底壁部３ｂから延長する側壁４，４の第２側壁部４ｂ，４ｂと、により形成されており、第１底壁部３ａから延長する側壁４，４の第１側壁部４ａ，４ａの上端面４ｃ，４ｃと固定部１０の第２側壁部４ｂ，４ｂの上端面４ｄ，４ｄとが面一となるように（即ち、上端面４ｃ，４ｃと上端面４ｄ，４ｄとがそれらの間に段差を設けずに）形成されているので、固定部１０の幅方向および深さ方向の剛性を高めることができる。
【００３８】
従って、固定部１０が、ワイヤーハーネス２５に掛けられる荷重により生じる応力によって、第１底壁部３ａおよび第１側壁部４ａ，４ａとの境界部分１４で折れ曲がったり、破損したりするようなことはなく、よってワイヤーハーネス２５の電線群２６を安定して固定することができる。
【００３９】
また、上記のように構成されたプロテクタ１によれば、収容溝５の第１部分５ａと比較して固定部１０内の第２部分５ｂの深さが浅くなっており、ワイヤーハーネス２５の電線群２６がプロテクタ本体２の収容溝５内に収容された際に固定部１０の第２底壁部３ｂに乗り上げて第２側壁部４ｂ，４ｂの上端面４ｄ，４ｄを通る仮想面から突出するため、粘着テープ３０（固定手段）を固定部１０に巻き付けた際の粘着テープ３０（固定手段）のワイヤーハーネス２５に対する接触面積を十分に確保することができ、よってワイヤーハーネス２５を固定部１０に確実に固定することができる。
【００４０】
更に、上記のように構成されたプロテクタ１によれば、第１底壁部３ａから第２底壁部３ｂにかけて上り勾配を有する傾斜面１６が固定部１０に形成されているので、深さに差がある収容溝５の第１部分５ａと第２部分５ｂとに収容されたワイヤーハーネス２５の電線群２６を傾斜面１６に沿って配置することができるとともに、第１底壁部３ａと第２底壁部３ｂとの境界部分１４の剛性の向上を図ることができる。
【００４１】
更にまた、上記のように構成されたプロテクタ１によれば、第２底壁部３ｂの傾斜面１６に対向しながら当該傾斜面１６から離れる方向に延びる傾斜面２４を含む逃げ部２３を蓋１９が有するので、プロテクタ本体２の境界部分１４の傾斜面１６に沿わせて配置したワイヤーハーネス２５の電線群２６がその部分で盛り上がった場合でも、その盛り上がった部分を蓋１９の逃げ部２３によって逃がすことができる。よって、蓋１９の先端部がワイヤーハーネス２５に強く当接して傷を付けるようなことがない。
【００４２】
尚、本発明は、前述した実施形態に限定されるものではなく、適宜、変形，改良，等が可能である。その他、前述した実施形態における各構成要素の材質、形状、寸法、形態、数、配置箇所、等は本発明を達成できるものであれば任意であり、限定されない。
【００４３】
例えば、上記実施形態は自動車等といった車両の電装系の配線等に使用されるワイヤーハーネスの保護に適用したものであったが、その他の電気装置に使用されるワイヤーハーネスの保護に本発明に係るプロテクタを適用してもよく、その場合にも、同様の作用効果を奏するのは勿論のことである。
【００４４】
また、上記実施形態においてはプロテクタ本体と別体に形成された蓋が設けられているが、蓋とプロテクタ本体は一体に形成されていてもよく、この場合、例えば適宜な樹脂成形によって蓋とプロテクタ本体とをヒンジ等の連結部材によって連結した一体構造のものとしてもよいし、蓋とプロテクタ本体とを別体のヒンジ等の連結部材によって連結した一体構造のものとしてもよい。
【００４５】
また、上記実施形態においてはプロテクタ本体の固定部と協働してワイヤーハーネスをプロテクタ本体に固定するための固定手段の一例として粘着テープを用いているが、例えば、ワイヤーハーネスホルダー（締付バンド）、クリップ、等を固定手段として用いてもよく、この場合、当該固定手段によりワイヤーハーネスを固定部に対して押し付けて固定すればよい。また、固定手段は、プロテクタ本体と別体のものに限らず、一体のものとしてもよいことは言うまでもない。
【００４６】
尚、上記実施形態においては固定部をプロテクタ本体の長手方向の一端部に設けたが、固定部はプロテクタ本体の収容溝の途中に設けられていてもよく、その場合にも前述した実施形態と同様の作用効果を奏するものである。また、固定部を設ける箇所は、一箇所に限らず、二箇所以上でもよい。
【００４７】
前述したように固定部をプロテクタ本体の収容溝の途中に設けた場合における本発明のプロテクタの構成の一例を以下に簡潔に述べる。
【００４８】
即ち、底壁および当該底壁から上方に互いに対向しながら延長する一対の側壁を有し、前記底壁の内面および前記側壁の内面がワイヤーハーネスの電線群を収容するための収容溝を形成するプロテクタ本体と、
前記プロテクタ本体に係合可能な蓋と、
を備えたプロテクタであって、
前記底壁が、その長手方向に並設される第１底壁部、第２底壁部、および第３底壁部を含み、
前記第２底壁部が、前記第１底壁部上に形成される前記収容溝の第１部分の深さおよび前記第３底壁部上に形成される前記収容溝の第３部分の深さよりも前記第２底壁部上に形成される前記収容溝の第２部分の深さが浅くなるように形成され、
前記側壁が、前記第１底壁部から上方に互いに対向しながら延長する第１側壁部、前記第２底壁部から上方に互いに対向しながら延長する第２側壁部、および前記第３底壁部から上方に互いに対向しながら延長する第３側壁部を含み、
前記第１側壁部の上端面と前記第２側壁部の上端面と前記第３側壁部の上端面とが面一となるように形成され、そして、
前記第２底壁部および前記第２側壁部が、前記収容溝の第２部分に収容された前記ワイヤーハーネスの電線群の部分を固定手段と協働して固定するための固定部として構成されている。
【００４９】
また、前記第２底壁部が、前記第１底壁部との第１境界部分に前記第１底壁部から前記第２底壁部にかけて上り勾配を有する第１傾斜面を含み且つ、前記第３底壁部との第２境界部分に前記第３底壁部から前記第２底壁部にかけて上り勾配を有する第２傾斜面を含む。
【００５０】
また、前記蓋が前記側壁の上端部に装着されて前記側壁間の収容溝の少なくとも一部を閉塞し、そして前記蓋が、前記第２底壁部の第１傾斜面に対向しながら当該第１傾斜面から離れる方向に延びる第一傾斜面を含む第一逃げ部を有し且つ、前記第２底壁部の第２傾斜面に対向しながら当該第２傾斜面から離れる方向に延びる第二傾斜面を含む第二逃げ部を有する。
【図面の簡単な説明】
【００５１】
【図１】本発明に係るプロテクタの一実施形態の要部を示す外観斜視図である。
【図２】図１に示すプロテクタ本体の上面図である。
【図３】図１のプロテクタ本体の側面図である。
【図４】従来のプロテクタの一例を示す斜視図である。
【図５】図４のプロテクタにワイヤーハーネスの電線群を固定した状態を示す説明図である。
【図６】従来のプロテクタの他の一例を示す斜視図である。
【符号の説明】
【００５２】
１：プロテクタ
２：プロテクタ本体
３：底壁
３ａ：第１底壁部
３ｂ：第２底壁部
４：側壁
４ａ：第１側壁部
４ｂ：第２側壁部
４ｃ：上端面
４ｄ：上端面
５：収容溝
５ａ：第１部分
５ｂ：第２部分
１０：固定部
１４：境界部分
１６：傾斜面
１９：蓋
２３：逃げ部
２４：傾斜面
２５：ワイヤーハーネス
２６：電線群
３０：粘着テープ（固定手段）
【図１】
2005137154.tif 000003
【図２】
2005137154.tif 000004
【図３】
2005137154.tif 000005
【図４】
2005137154.tif 000006
【図５】
2005137154.tif 000007
【図６】
2005137154.tif 000008